(57)【要約】【課題】  回転機構の加工精度を容易に高めることができ、回転軸のずれ、摺接面の間隔ばらつきが少なく、摺接面の溝の形状の異なる種々の石臼との互換性を高めることができ石臼を得る。【解決手段】  上臼４及びこの上臼４の上部を包み込む様に一体に固着された上保持器３からなる上臼ユニット１と、下臼５及びこの下臼５の下部を包み込む様に一体に固着された下保持器６からなる下臼ユニット２と、上臼ユニット１と下臼ユニット２とを同軸上で相対的に回転可能に支持し、上臼ユニット１の下側の摺接面と下臼ユニット２の上側の摺接面とを互いに摺接させる回転機構７と、を備える。【選択図】        図１
2005185898.tif 000002
【特許請求の範囲】
【請求項１】
上臼及びこの上臼の上部を包み込む様に一体に固着された上保持器からなる上臼ユニットと、
下臼及びこの下臼の下部を包み込む様に一体に固着された下保持器からなる下臼ユニットと、
前記上臼ユニットと前記下臼ユニットとを同軸上で相対的に回転可能に支持し、前記上臼ユニットの下側の摺接面と前記下臼ユニットの上側の摺接面とを互いに摺接させる回転機構と、
を備えたことを特長とする石臼。
【請求項２】
上臼ユニットの上保持器の中心に設けられた嵌合穴に、上臼の中心に設けられた貫通穴を通して嵌め込まれた軸受けと、
下臼ユニットの下保持器の中心に設けられた嵌合穴に、下臼の中心に設けられた貫通穴を通して嵌め込まれたブッシュと、
上端部が前記軸受けに挿入され、下端部が前記ブッシュに嵌め込まれた回転軸と、
を備えたことを特徴とする請求項１記載の石臼。
【請求項３】
上臼ユニットを上下に移動する上下移動機構を備えたことを特徴とする請求項１または請求項２記載の石臼。
【請求項４】
上臼ユニットの上下移動手段は、
下臼ユニット下部を支持する台座に立接された支柱と、
前記上臼ユニットに取り付けられ、係合部を有する持上部と、
一端が前記支柱に回転自在に取り付けられ、中間に前記持上部に設けられた前記係合部と移動自在に係合する係合部を有するアームと、
を備えたことを特徴とする請求項３記載の石臼。
【請求項５】
上臼ユニットと下臼ユニットとの摺接面の面圧を調整する加圧調整手段を設けたことを特徴とする請求項３記載の石臼。
【請求項６】
加圧調整手段は、
下臼ユニット下部を支持する台座に立接された支柱と、
前記上臼ユニットに取り付けられ、係合部を有する持上部と、
一端が前記支柱に回転自在に取り付けられ、中間に前記持上部に設けられた前記係合部と移動自在に係合する係合部を有するアームと、
前記アームの先端部に着脱自在、かつ、位置調整可能に取り付けられた重りと、
を備えたことを特徴とする請求項５記載の石臼。
【請求項７】
上、下保持器を金属、または、プラスチックとしたことを特徴とする請求項１〜請求項６のいずれかに記載の石臼。
【発明の詳細な説明】
【技術分野】
【０００１】
この発明は、穀物等を粉砕する石臼に係り、特に、互換性があり、軽量で、使い易い石臼に関するものである。
【背景技術】
【０００２】
従来の粉挽き装置は、下臼及び上臼に下臼目立てヤスリ、上臼目立てヤスリを固着し、この間の間隙を製粉粒の粒度に合わせて一定に保ちつつ上臼又は下臼のいずれかを回転駆動するように構成する。一方、製粉加圧力は加圧用バネにて調整ができ、さらに素粒の供給、排出を促進する羽根板を少なくても１枚以上配置させている（例えば、特許文献１参照）。
【０００３】
【特許文献１】特開平１１−３０９３８２公報（段落０００８〜００１３、図１）
【発明の開示】
【発明が解決しようとする課題】
【０００４】
従来の粉挽き装置では、下臼に直接設けられた軸受穴に軸受が嵌め込まれ、上臼に直接設けられた伝導継手用穴に伝導継手が嵌め込まれており、回転駆動される伝導軸が下臼の軸受に挿入され、上臼の伝導継手に固定されている。
上臼、下臼は石が使用されるため加工が容易でなく、下臼の軸受穴、上臼の伝導継手用穴の加工精度が悪く、上臼と下臼の回転軸心のずれが生じ易く、従って、上臼と下臼との各々摺接面側の間隔の精度が悪くなり、下臼目立てヤスリ、上臼目立てヤスリの間隔のばらつきが生じ、加圧力もばらつくという問題があった。
【０００５】
また、このような上臼と下臼の回転軸心のずれや、摺接面側の間隔のばらつきがあると、上臼や下臼の互換性も悪くなるという問題があった。
従って、目立てヤスリの種類を変えるのも容易でないという問題があった。
また、上臼、下臼は石が使用されるため加工が容易でなく、使い易くするための種々の機能の付加が制約される問題があった。
また、摺接面の加圧調整はバネで行うため、下臼目立てヤスリ、上臼目立てヤスリの間の間隙が変わると圧力が変わってしまうという問題があった。
さらに、上臼の重さを軽くするため加圧調整用のバネを設け、上臼を薄くしているものの、薄くする限度があり、大幅に薄くして軽量化をはかるのは難しいという問題があった。
【０００６】
この発明は、前記の課題を解決するためになされたもので、軸受用穴、回転軸取付用のブッシュ用穴等の回転機構の加工精度を容易に高めることができ、回転軸のずれ、摺接面の間隔ばらつきが少なく、摺接面の溝の形状の異なる種々の石臼との互換性を高めることができ、摺接面の加圧を一定に調整でき、また、種々の機能の付加が容易で、上臼の上下移動が容易に速やかに、かつ、精度よくでき、軽くて使い易い石臼を得ることを目的とする。
【課題を解決するための手段】
【０００７】
この発明に係る石臼は、上臼及びこの上臼の上部を包み込む様に一体に固着された上保持器からなる上臼ユニットと、下臼及びこの下臼の下部を包み込む様に一体に固着された下保持器からなる下臼ユニットと、前記上臼ユニットと前記下臼ユニットとを同軸上で相対的に回転可能に支持し、前記上臼ユニットの下側の摺接面と前記下臼ユニットの上側の摺接面とを互いに摺接させる回転機構と、を備えたものである。
【０００８】
また、上臼ユニットの上保持器の中心に設けられた嵌合穴に、上臼の中心に設けられた貫通穴を通して嵌め込まれた軸受けと、下臼ユニットの下保持器の中心に設けられた嵌合穴に、下臼の中心に設けられた貫通穴を通して嵌め込まれたブッシュと、上端部が前記軸受けに挿入され、下端部が前記ブッシュに嵌め込まれた回転軸と、を備えたものである。
【０００９】
また、上臼ユニットを上下に移動する上下移動機構を備えたものである。
【００１０】
また、上臼ユニットの上下移動手段は、下臼ユニット下部を支持する台座に立接された支柱と、前記上臼ユニットに取り付けられ、係合部を有する持上部と、一端が前記支柱に回転自在に取り付けられ、中間に前記持上部に設けられた前記係合部と移動自在に係合する係合部を有するアームと、を備えたものである。
【００１１】
また、上臼ユニットと下臼ユニットとの摺接面の面圧を調整する加圧調整手段を設けたものである。
【００１２】
また、加圧調整手段は、下臼ユニット下部を支持する台座に立接された支柱と、前記上臼ユニットに取り付けられ、係合部を有する持上部と、一端が前記支柱に回転自在に取り付けられ、中間に前記持上部に設けられた前記係合部と移動自在に係合する係合部を有するアームと、前記アームの先端部に着脱自在、かつ、位置調整可能に取り付けられた重りと、を備えたものである。
【００１３】
また、上、下保持器を金属、または、プラスチックとしたものである。
【発明の効果】
【００１４】
この発明によれば、上臼及びこの上臼の上部を包み込む様に一体に固着された上保持器からなる上臼ユニットと、下臼及びこの下臼の下部を包み込む様に一体に固着された下保持器からなる下臼ユニットと、前記上臼ユニットと前記下臼ユニットとを同軸上で相対的に回転可能に支持し、前記上臼ユニットの下側の摺接面と前記下臼ユニットの上側の摺接面とを互いに摺接させる回転機構と、を備えたので、回転機構の加工精度高めることができ、摺接面の間隔ばらつきを少なくすることができ、摺接面の溝の形状の異なる種々の石臼との互換性を高めることができ、また、上、下臼の厚さを（大幅に）薄くして軽量化をはかることができ、種々の機能の付加を容易にすることができ、使い易くすることができる。
【００１５】
また、上臼ユニットの上保持器の中心に設けられた嵌合穴に、上臼の中心に設けられた貫通穴を通して嵌め込まれた軸受けと、下臼ユニットの下保持器の中心に設けられた嵌合穴に、下臼の中心に設けられた貫通穴を通して嵌め込まれたブッシュと、上端部が前記軸受けに挿入され、下端部が前記ブッシュに嵌め込まれた回転軸と、を備えたので、軸受用及びブッシュ用嵌合穴の加工が容易で加工精度高めることができ、回転軸のずれ、摺接面の間隔ばらつきを少なくすることができ、摺接面の溝の形状の異なる種々の石臼との互換性を高めることができる。
【００１６】
また、上臼ユニットを上下に移動する上下移動機構を備えたので、上臼を容易に、速やかに、かつ、精度よく上下に移動することができる。
【００１７】
また、また、上臼ユニットの上下移動手段は、下臼ユニット下部を支持する台座に立接された支柱と、前記上臼ユニットに取り付けられ、係合部を有する持上部と、一端が前記支柱に回転自在に取り付けられ、中間に前記持上部に設けられた前記係合部と移動自在に係合する係合部を有するアームと、を備えたので、上臼を容易に、速やかに、かつ、精度よく上下に移動することができる。
【００１８】
また、上臼ユニットと下臼ユニットとの摺接面の面圧を調整する加圧調整手段を設けたので、上臼ユニットと下臼ユニットとの摺接面の面圧を精密に、一定に調整できる。
【００１９】
また、加圧調整手段は、下臼ユニット下部を支持する台座に立接された支柱と、前記上臼ユニットに取り付けられ、係合部を有する持上部と、一端が前記支柱に回転自在に取り付けられ、中間に前記持上部に設けられた前記係合部と移動自在に係合する係合部を有するアームと、前記アームの先端部に着脱自在、かつ、位置調整可能に取り付けられた重りと、を備えたので、上臼ユニットと下臼ユニットとの摺接面の面圧を精密に、一定に調整できる。
【００２０】
また、上、下保持器を金属、または、プラスチックとしたので、精密加工をし易くすることができる。
【発明を実施するための最良の形態】
【００２１】
実施の形態１．
図１はこの発明の実施の形態を示す石臼の断面図である。石臼は、上臼ユニット１と、下臼ユニット２と、回転機構７から構成され、石臼ユニット１は、上臼４及びこの上臼４の上部を包み込む様に一体に固着された上保持器３からなり、下臼ユニット２は下臼５及びこの下臼５の下部を包み込む様に一体に固着された下保持器６からなる。
そして、回転機構７により、上臼ユニット１と下臼ユニット２とを同軸上で相対的に回転可能に支持し、上臼ユニット１の上臼４の下側の摺接面４ｂと下臼ユニット２の下臼５の上側の摺接面５ｂとが互いに摺接している。
上保持器３と下保持器６の材料は金属、または、プラスチックを使用し、金属はアルミニュウム合金などの軽金属が望ましい。
また、上臼ユニット１には、被粉砕物を入れる物入れ穴３１が設けられている。
【００２２】
回転機構７は、上臼ユニット１の上保持器３の中心に設けられた嵌合穴３ａに、上臼４の中心に設けられた貫通穴４ａを通して嵌め込まれた軸受８と、下臼ユニット２の下保持器６の中心に設けられた嵌合穴６ａに、下臼５の中心に設けられた貫通穴５ａを通して嵌め込まれたブッシュ９と、上端部が軸受８に挿入され、下端部がブッシュ９に嵌め込まれ、フランジ１０ａを有する回転軸１０と、下臼ユニット２と回転軸１０を固定するノックピン１１から構成される。
【００２３】
なお、上臼ユニット１の上保持器３の嵌合穴３ａは、上臼４の貫通穴４ａより穴径が小さく、下臼ユニット２の下保持器６の嵌合穴６ａは、下臼５の貫通穴５ａより穴径を小さくしている。
また、手動で使用するときは、上臼ユニット１が回転し、下臼ユニット２が固定される。そして、図示してないが、上臼ユニット１を回転させるハンドルが上臼ユニット１に設けられ、回転軸１０を支持する台座が設けられる。
また、自動で使用するときは、上臼ユニット１が固定され、下臼ユニット２が回転される。そして、図示してないが、回転軸１０を回転自在に支持し、回転軸１０を回転させる駆動装置が設けられる。
また、上臼ユニット１は、駆動装置等を収納する筐体に設けられた台座等に係合させ回転しないようにする。
【００２４】
次に、この発明の実施の形態の石臼の回転機構に関する加工、組み立てに及び使用方法について説明する。上臼ユニット１の加工、組み立ては、例えば、上臼ユニット１の上臼４及び上保持器３を図１に示す外形形状に加工し、上臼４の摺接面４ｂと反対側の上側の摺接面部を上保持器３の内面に接着し一体化する。次に、上臼４の中心に貫通穴４ａを加工し、この貫通穴４ａより小さく精度の高い嵌合穴を上保持器３の中心に加工する。下臼ユニット２も同様に加工する。なお、上臼４の摺接面４ｂと下臼５の摺接面５ｂにはあらかじめ溝を形成しておくが、被粉砕物に合わせて種々の形状パターンのものを用意しておく。
【００２５】
次に、石臼の組み立ては、上臼ユニット１の上保持器３の嵌合穴３ａに、軸受８を上臼４の貫通穴４ａを通して嵌め込み、下臼ユニット２の下保持器６の嵌合穴６ａには、ブッシュ９を下臼５の貫通穴５ａを通して嵌め込む。そして、下臼ユニット２の下保持器６のブッシュ９に回転軸１０のを嵌めこみ、フランジ１０ａと下保持器６のノックピン穴（図示せず）にノックピン１１を嵌め込んで固定する。
次に、上臼ユニット１の摺接面４ｂを下臼ユニット２の摺接面５ｂを合わせるようにして、上臼ユニット１の軸受８に回転軸１０の上端部を挿入する。
【００２６】
このように構成された石臼を使用するときは、まず、被粉砕物に適する摺接面の形状パターンを有する上臼ユニット１と下臼ユニット２を組み合わせ、例えば、手動の場合は、下臼ユニット２を固定し、上臼ユニット１をハンドル（図示せず）で回転させ、被粉砕物を物入れ穴３１から少しずつ入れ、上臼ユニット１の摺接面４ｂ下臼ユニット２の摺接面５ｂで被粉砕物を粉砕する。
【００２７】
以上のように、加工し易い保持器３、６に嵌合穴３ａ、６ａを高い精度で加工できるので、回転機構７の加工精度高めることができ、摺接面４ｂ、５ｂの間隔のばらつきを少なくすることができ、また、回転機構７の精度が高いので摺接面４ｂ、５ｂの溝の形状の異なる種々の石臼との互換性を高めることができ、さらに上保持器３、下保持器６に、各々上臼４、下臼５が上部を包み込む様に一体に固着されているので上臼４、下臼５の割れが発生しにくいので上、下臼の厚さを大幅に薄くして軽量化をはかることができる。
【００２８】
なお、図２に示すように、上臼ユニット１の上保持器３に持上部１２を取り付け、上臼ユニット１の移動や交換をし易くしすることができる。このように上保持器３が加工し易いので、種々の機能の付加を容易にすることができ、使い易くすることができる。
また、持上部１２を下部が上臼ユニット１の軸受８の上部を覆うような円筒状とし、その上部に立設した取っ手部を設けたものとし、軸受８の上部からのゴミの侵入の防止をすることができる。
【００２９】
また、図３に示すように、上臼ユニット１の上保持器３の嵌合穴３ａが設けられる部分及び下保持器６の嵌合穴６ａが設けられる部分を厚くして、各々ボス部３ｂ、６ｂが形成されるようにし、軸受８、ブッシュ９の取付け精度を高めることができる。
【００３０】
実施の形態２．
図４はこの発明の実施の形態を示す石臼の断面図、図５は動作を示す石臼の断面図である。
本実施の形態は実施の形態１の石臼に、上臼ユニット１を上下に移動する上臼ユニット上下移動機構を兼ねる上臼ユニットと下臼ユニットとの摺接面の面圧を調整する加圧調整手段を設けたものである。
【００３１】
図４において実施の形態１の図１と同一または相当部分には同一の符号を付し説明を省略する。上臼ユニット１の上下移動機構は、下臼ユニット２の下部を支持する台座に立接された支柱２１と、上臼ユニット１に取り付けられ、回転軸１０の軸心位置にピン２６を有する持上部１２と、一端が前記支柱にアームピン２４を介して回転自在に取り付けられ、中間に持上部１２に設けられたピン２６と移動自在に係合する長穴２５を有するアーム２２から構成される。
【００３２】
また、上臼ユニット１と下臼ユニット２との摺接面４ｂ、５ｂの面圧を調整する加圧調整手段は、上述の上下移動機構のアーム２２の先端部に着脱自在、かつ、位置調整可能に取り付けられた重りを２３を取り付けたものである。アーム２２の先端部にはネジがもうけられており、重り２３にはアーム２２の先端部のネジに螺合するネジが設けられている。
【００３３】
また、本実施の形態は、上臼ユニット１を固定し、下臼ユニット２を回転させる構成であり、上臼ユニット１の固定は、支柱２１にスリット２７、上臼ユニット１の外周に回り止めノック２８を設け、スリット２７にノック２８を挿入して上臼ユニット１の回転を阻止する。
【００３４】
この構成において、上臼ユニット１の交換やメインテナンス等で、上臼ユニット１を上に移動する場合は、図５のようにアーム２２に設けられた重り２３を持ち上げか、または、重り２３を外してアーム２２を持ち上げて移動させる。
このとき、アーム２２の長穴２５の中心が回転軸１０の軸心からずれるが、長穴２５内をピン２６が移動するので、上臼ユニット１の軸受８は、回転軸１０に沿ってスムーズに持ち上げられる。
【００３５】
以上のように、上臼ユニット１を上下に移動する上下移動機構を備えたので、上臼ユニット１を容易に、速やかに、かつ、精度よく上下に移動することができる。
また、上下移動機構に重り２３を取り付け、上臼ユニット１と下臼ユニット２との摺接面４ｂ、５ｂの面圧を調整する加圧調整手段を兼ねるようにしたので、上臼ユニット１と下臼ユニット２との摺接面４ｂ、５ｂの面圧を精密に、一定に調整することができる。
【００３６】
なお、本実施の形態には図示してないが、実際の使用においては、回転軸１０を回転自在に支持し、回転軸１０を回転させる駆動装置が設けられる。
【図面の簡単な説明】
【００３７】
【図１】この発明の実施の形態１を示す石臼の断面図である。
【図２】この発明の実施の形態１を示す石臼の断面図である。
【図３】この発明の実施の形態１を示す石臼の断面図である。
【図４】この発明の実施の形態２を示す石臼の断面図である。
【図５】この発明の実施の形態２を示す石臼の動作説明図である。
【符号の説明】
【００３８】
１  上臼ユニット、２  下臼ユニット、３  上保持器、４  上臼、４ｂ  摺接面、５  下臼、５ｂ  摺接面、６  下保持器、７回転機構、８  軸受け、９  ブッシュ、１０  回転軸、１２  持揚部、２１  支柱、２２  アーム、２３  重り、２４  アームピン、２５  長穴、２６  ピン  。
【図１】
2005185898.tif 000003
【図２】
2005185898.tif 000004
【図３】
2005185898.tif 000005
【図４】
2005185898.tif 000006
【図５】
2005185898.tif 000007